(57)【要約】【課題】マグネシウム金属空気電池を利用したマグネシウムライトを提供する。【解決手段】マグネシウムライト１は、マグネシウム金属空気電池１０と、マグネシウム金属空気電池１０に接続されたＬＥＤライト２０と、マグネシウム金属空気電池１０及びＬＥＤライト２０を内包するとともに、内外を水が貫通する透孔ａを有する透明又は半透明なケース３０とを備える。【選択図】図１
0003219218.tif 000002
【実用新案登録請求の範囲】
【請求項１】
マグネシウム金属空気電池と、
前記マグネシウム金属空気電池に接続されたＬＥＤライトと、
前記マグネシウム金属空気電池及び前記ＬＥＤライトを内包するとともに、内外を水が貫通する透孔を有する透明又は半透明なケースと、を備える、
ことを特徴とするマグネシウムライト。
【請求項２】
前記ケースは、２つのパーツを備え、
前記２つのパーツは、それぞれ相互に係脱可能な雄ねじ部と雌ねじ部とを有し、
前記雄ねじ部と前記雌ねじ部との係合を解除することにより、前記ケースに対する前記マグネシウム金属空気電池と前記ＬＥＤライトとの内包を可能にする、
ことを特徴とする請求項１に記載のマグネシウムライト。
【請求項３】
前記ケースは、２つのパーツを備え、
前記２つのパーツは、それぞれ相互に係脱可能なフック部とフック孔とを有し、
前記フック部と前記フック孔との係合を解除することにより、前記ケースに対する前記マグネシウム金属空気電池と前記ＬＥＤライトとの内包を可能にする、
ことを特徴とする請求項１に記載のマグネシウムライト。
【請求項４】
前記ケースは、２つのパーツを備え、
前記２つのパーツは、それぞれ相互に係脱可能な嵌合凸部と嵌合凹部とを有し、
前記嵌合凸部と前記嵌合凹部との係合を解除することにより、前記ケースに対する前記マグネシウム金属空気電池と前記ＬＥＤライトとの内包を可能にする、
ことを特徴とする請求項１に記載のマグネシウムライト。
【請求項５】
前記２つのパーツのうち、一方に取付けねじ部を有し、他方に取付けねじ孔を有する、
ことを特徴とする請求項２ないし４に記載のマグネシウムライト。
【請求項６】
前記ケースは、相手部材に取り付けるための取付け部材を保持する取付け部を有する、
ことを特徴とする請求項１ないし４のいずれか１項に記載のマグネシウムライト。
【請求項７】
前記ケースは、相手部材に吸着するための吸盤のある取付け部を有する、
ことを特徴とする請求項１ないし４のいずれか１項に記載のマグネシウムライト。
【請求項８】
前記透孔は、前記ケースの厚さ方向に沿って、内側が外側よりも拡開されたテーパ状に形成されている、
ことを特徴とする請求項１ないし７のいずれか１項に記載のマグネシウムライト。
【考案の詳細な説明】
【技術分野】
【０００１】
本考案は、マグネシウム金属空気電池を利用したマグネシウムライトに関する。
【背景技術】
【０００２】
従来、マグネシウム金属空気電池が知られている（特許文献１参照）。
【０００３】
このものは、負極、正極集電体、正極側触媒層、及び分離部材から成る基本電池セルを少なくとも１つ備え、使用時には、正極側触媒層に水又は金属塩化物水溶液が添加されることにより、正極集電体と負極との間に起電力が発生するものである。
【先行技術文献】
【特許文献】
【０００４】
【特許文献１】特許第５１９２６１３号
【考案の概要】
【考案が解決しようとする課題】
【０００５】
しかしながら、上述のマグネシウム金属空気電池は、基本的な考案であり、これを応用した具体的な構成については、記載されていないという問題があった。
本考案は、上述した事情に鑑みてなされたものであり、マグネシウム金属空気電池を利用したマグネシウムライトを提供することを目的とする。
【課題を解決するための手段】
【０００６】
請求項１に係る考案は、マグネシウムライトにおいて、マグネシウム金属空気電池と、前記マグネシウム金属空気電池に接続されたＬＥＤライトと、前記マグネシウム金属空気電池及び前記ＬＥＤライトを内包するとともに、内外を水が貫通する透孔を有する透明又は半透明なケースと、を備える、ことを特徴とする。
【０００７】
請求項２に係る考案は、請求項１に係るマグネシウムライトにおいて、前記ケースは、２つのパーツを備え、前記２つのパーツは、それぞれ相互に係脱可能な雄ねじ部と雌ねじ部とを有し、前記雄ねじ部と前記雌ねじ部との係合を解除することにより、前記ケースに対する前記マグネシウム金属空気電池と前記ＬＥＤライトとの内包を可能にする、ことを特徴とする。
【０００８】
請求項３に係る考案は、請求項１に係るマグネシウムライトにおいて、前記ケースは、２つのパーツを備え、前記２つのパーツは、それぞれ相互に係脱可能なフック部とフック孔とを有し、前記フック部と前記フック孔との係合を解除することにより、前記ケースに対する前記マグネシウム金属空気電池と前記ＬＥＤライトとの内包を可能にする、ことを特徴とする。
【０００９】
請求項４に係る考案は、請求項１に係るマグネシウムライトにおいて、前記ケースは、２つのパーツを備え、前記２つのパーツは、それぞれ相互に係脱可能な嵌合凸部と嵌合凹部とを有し、前記嵌合凸部と前記嵌合凹部との係合を解除することにより、前記ケースに対する前記マグネシウム金属空気電池と前記ＬＥＤライトとの内包を可能にする、ことを特徴とする。
【００１０】
請求項５に係る考案は、請求項２ないし４に係るマグネシウムライトにおいて、前記２つのパーツのうち、一方に取付けねじ部を有し、他方に取付けねじ孔を有する、ことを特徴とする。
【００１１】
請求項６に係る考案は、請求項１ないし４のいずれか１項に係るマグネシウムライトにおいて、前記ケースは、相手部材に取り付けるための取付け部材を保持する取付け部を有する、ことを特徴とする。
【００１２】
請求項７に係る考案は、請求項１ないし４のいずれか１項に係るマグネシウムライトにおいて、前記ケースは、相手部材に吸着するための吸盤のある取付け部を有する、ことを特徴とする。
【００１３】
請求項８に係る考案は、請求項１ないし７のいずれか１項に係るマグネシウムライトにおいて、前記透孔は、前記ケースの厚さ方向に沿って、内側が外側よりも拡開されたテーパ状に形成されている、ことを特徴とする。
【考案の効果】
【００１４】
請求項１の考案によれば、マグネシウム金属空気電池及びＬＥＤライトは、ケースに内包されているが、ケースには、その内外を水が貫通する透孔が形成されているので、マグネシウム金属空気電池にケースの外側から水を供給することができる。これにより、ＬＥＤライトが点灯される。ケースに内包されたＬＥＤライトが点灯されれば、ケース自体は透明又は半透明なので、ケースの外部からＬＥＤライトの点灯を見ることができる。
【００１５】
請求項２の考案によれば、ケースは、２つのパーツを、それぞれ係脱可能な雄ねじ部と雌ねじ部とを係合させることにより構成されているので、その係合を解除することで、ケースの内側にマグネシウム金属空気電池とＬＥＤライトとを入れることも、また取り出すこともできる。
【００１６】
請求項３の考案によれば、ケースは、２つのパーツを、それぞれ係脱可能なフック部とフック孔とを係合させることにより構成されているので、その係合を解除することで、ケースの内側にマグネシウム金属空気電池とＬＥＤライトとを入れることも、また取り出すこともできる。
【００１７】
請求項４の考案によれば、ケースは、２つのパーツを、それぞれ係脱可能な嵌合凸部と嵌合凹部とを係合させることにより構成されているので、その係合を解除することで、ケースの内側にマグネシウム金属空気電池とＬＥＤライトとを入れることも、また取り出すこともできる。
請求項５の考案によれば、取付けねじ孔を、例えば、＋又は−のドライバーで回すことにより、取付けねじ部を相手部材にねじ込むことができる。
請求項６の考案によれば、取付け部材により、マグネシウムライトを相手部材に取り付けることができる。
請求項７の考案によれば、吸盤により、マグネシウムライトを相手部材に取り付けることができる。
【００１８】
請求項８の考案によれば、ケースの内外を貫通する透孔は、ケースの厚さ方向に沿って、内側が外側よりも拡開されたテーパ状に形成されているので、ケースの内部にあるマグネシウム金属空気電池に対して外部からの水の供給が円滑に行われる。
【図面の簡単な説明】
【００１９】
【図１】図１〜図６は実施形態１のマグネシウムライト１を示す図であり、図１はマグネシウムライト１の全体を示す斜視図である。
【図２】マグネシウムライト１の変形例を示す斜視図である。
【図３】図１中の透孔ａのＸ−Ｘ線矢視拡大図である。
【図４】マグネシウムライト１をインテリアに応用した例を示す図である。
【図５】マグネシウムライト１を蝋燭（ろうそく）に応用した例を示す図である。
【図６】マグネシウムライト１をバンドに応用した例を示す図である。
【図７】実施形態２のマグネシウムライト２のフック部３０ｆ及びフック孔３０ｈを示す図である。
【図８】マグネシウムライト２のフック部３０ｆとフック孔３０ｈとの嵌り込みを示す図である。
【図９】実施形態３のマグネシウムライト３の全体を示す斜視図である。
【図１０】マグネシウムライト３の変形例を示す斜視図である。
【図１１】実施形態４のマグネシウムライト４を示す図である。
【図１２】（ａ），（ｂ），（ｃ）はマグネシウムライト１〜３を光るボタン８０として利用した例を示す図である。
【図１３】マグネシウムライト１〜３を光るイヤリングとして利用した例を示す図である。
【図１４】マグネシウムライト１〜３を光るコーン８４として利用した例を示す図である。
【図１５】（ａ）はマグネシウムライト１〜３をスキー板８５に取り付けた例を示す図、（ｂ）はマグネシウムライト１〜３をスノーボード板８６に取り付けた例を示す図である。
【図１６】マグネシウムライト１〜３をヘルメット８７に取り付けた例を示す図である。
【図１７】（ａ）マグネシウムライト１〜３を腕や足８８に巻き付ける例を示す斜視図であり、（ｂ）は同じく上方から見た図である。
【考案を実施するための形態】
【００２０】
以下、本考案を適用した実施形態を、図面に基づいて詳述する。なお、各図面において、同じ符号を付した部材等は、同一又は類似の構成のものであり、これらについての重複説明は適宜省略するものとする。また、各図面においては、説明に不要な部材等は適宜、図示を省略している。
＜実施形態１＞
図１〜図６を参照して本考案を適用した実施形態１に係るマグネシウムライト１について説明する。
ここで、図１は、マグネシウムライト１の全体を示す斜視図である。また、図２は、マグネシウムライト１の変形例を示す斜視図である。また、図３は、図１中の透孔ａのＸ−Ｘ線矢視拡大図である。
図１に示すように、マグネシウムライト１は、マグネシウム金属空気電池１０、ＬＥＤライト２０、及びケース３０によって構成されている。
マグネシウム金属空気電池１０及びＬＥＤライト２０は、ケース３０に内包されている。
マグネシウム金属空気電池１０は、既存のもの、例えば、特許第５１９２６１３号のものを使用している。
ＬＥＤライト２０は、マグネシウム金属空気電池１０に接続されていて、マグネシウム金属空気電池１０に起電力が発生すれば、点灯するようになっている。
【００２１】
ケース３０は、マグネシウム金属空気電池１０及びＬＥＤライト２０を内包している。本実施形態では、ケース３０は、カプセル状に形成されている。カプセル状のケース３０は、パーツＡとパーツＢとを組み合わせることで構成されている。パーツＡは、パーツＢ側に雄ねじ部３０ａを有し、また、パーツＢは、パーツＡ側に雌ねじ部３０ｂを有しており、これら雄ねじ部３０ａと雌ねじ部３０ｂとを螺合（係合）することで、カプセル状のケース３０を形成している。すなわち、ケース３０は、雄ねじ部３０ａと雌ねじ部３０ｂとの螺合（係合）を解除することにより、マグネシウム金属空気電池１０とＬＥＤライト２０との内包を可能にし、また、逆にケース３０からの取り出しを可能にしている。これにより、消耗したマグネシウム金属空気電池１０を新規なものに交換することが可能となる。
【００２２】
ケース３０には、複数（多数）の透孔ａが開けられている。パーツＡとパーツＢのそれぞれに複数（多数）の透孔ａが満遍なく開けられている。透孔ａは、ケース３０の内外を貫通するように形成されている。さらに、透孔ａは、図３に示すように、ケース３０の厚さ方向に沿って、内側が外側よりも拡開されたテーパ状に形成されている。これにより、ケース３０の内部（内側）にあるマグネシウム金属空気電池１０に対して外部（外側）からの水の供給が円滑に行われる。
【００２３】
ケース３０は、透明又は半透明な部材によって形成されている。これにより、マグネシウム金属空気電池１０に水が供給されて起電力が発生した際に、ＬＥＤライト２０が点灯し、その点灯をケース３０を通してケース３０の外側から見ることができる。
【００２４】
ケース３０のパーツＡは、取付け部材としての取付け紐６１（図３参照）を保持する取付け部３０ｃを有している。取付け部３０ｃは、パーツＡの雄ねじ部３０ａがある側を基端側とすると、パーツＡの先端側（図１の上端側）に凸部として形成されている。この取付け部３０ｃには、取付け部材としての取付け紐６１を通すための取付け孔３０ｄが形成されている。なお、取付け部３０ｃは、パーツＢの先端側（図１の下端側）に設けてもよく、また、パーツＡの先端側及びパーツＢの先端側の双方に設けてもよい。
【００２５】
さらに、取付け部３０ｃは、図２に示すように、パーツＢの外周に設けてもよい。取付け部３０ｃは、マグネシウムライト１の取付け先（相手部材）に応じて、適宜な位置、適宜な個数を形成するものとする。なお、マグネシウムライト１の取付け先となる相手部材によっては、取付け部３０ｃを設けなくてもよい。
【００２６】
図４〜図６を参照して、マグネシウムライト１の応用例を示す。なお、図４〜図６に示すマグネシウムライト１は、図１に示すマグネシウムライト１とは、ケース３０の外形、取付け部３０ｃの有無、取付け部３０ｃの位置等は、多少異なる。
【００２７】
図４に示すマグネシウムライト１は、インテリアの内側に配置している。このマグネシウムライト１は、ケース３０の外周に雄ねじ３０ｅを有している。この雄ねじ３０ｅを相手部材としての台座４０の雌ねじ４０ａに螺合することにより、マグネシウムライト１を台座４０に取り付ける。こうして取り付けたマグネシウムライト１の上側に、インテリアとしての例えば、木４０ｂを被せる。この際、木４０ｂを例えば半透明に形成することにより、ＬＥＤライト２０が点灯した際に、この木４０ｂが透けて見える。なお、図４に示すマグネシウムライト１は、取付け部３０ｃがない。
【００２８】
図５に示すマグネシウムライト１は、相手部材としての、蝋燭（ろうそく）を模した取付け台５０の上端に取り付ける。マグネシウムライト１は、取付け部３０ｃが不要であり、下半部を取付け台５０の上端に係合させることで、固定する。ケース３０をオレンジ色の半透明の部材によって形成する。マグネシウムライト１の上半部がオレンジ色に光るのを外部から見ることができる。
【００２９】
図６に示すマグネシウムライト１は、相手部材としての腕バンド６０に取り付ける。マグネシウムライト１の両端部に取付け部３０ｃがあり、これら取付け部３０ｃにより、腕バンド６０から延びる取付け部材としての取付け紐６１を保持する。これにより、腕バンド６０にマグネシウムライト１を取り付ける。例えば、この腕バンド６０を付けて、水に入ることにより、マグネシウムライト１が光るので、腕バンド６０を付けた人の居場所を簡単に確認することができる。
＜実施形態２＞
図７、図８を参照して、本考案を適用した実施形態２のマグネシウムライト２について説明する。
【００３０】
ここで、図７は、実施形態２のマグネシウムライト２のフック部３０ｆ及びフック孔３０ｈを示す図である。また、図８は、マグネシウムライト２のフック部３０ｆとフック孔３０ｈとの嵌り込みを示す図である。なお、これらの図において、透孔ａは図示を省略している。
【００３１】
上述の実施形態１では、マグネシウムライト１は、パーツＡとパーツＢとをそれぞれの雄ねじ部３０ａと雌ねじ部３０ｂとを螺合（係合）させることでケース３０を構成していた。本実施形態２では、マグネシウムライト２は、パーツＡから延びるフック部３０ｆを、パーツＢのフック孔３０ｈに係合させることで、ケース３０を構成している。
【００３２】
本実施形態では、パーツＡの基端部（下端部）を４等分する位置からフック部３０ｆを下方に延ばし、その先端部に外向きの爪３０ｇを形成している。一方、この爪３０ｇが係脱するフック孔３０ｈを、パーツＢに形成している。
【００３３】
ケース３０の内側に、マグネシウム金属空気電池１０とＬＥＤライト２０を入れた後、図７に示すように、パーツＢに対してパーツＡを下降させることにより、フック部３０ｆはパーツＢの内周に当たって一旦待避する。その後、爪３０ｇは、フック孔３０ｈに丁度合う位置まで下降すると、フック孔３０ｈに係合する。これにより、マグネシウムライト２が構成される。本実施形態によると、実施形態１と比較して、パーツＡとパーツＢとの係合、及びその解除を簡単に行うことができる。
なお、係合を解除する際には、爪３０ｇの先端をパーツＢの外周面から内側に引っ込めるようにすればよい。
＜実施形態３＞
図９、図１０を参照して、本考案を適用した実施形態３のマグネシウムライト３について説明する。
ここで、図９は、実施形態３のマグネシウムライト３の全体を示す斜視図である。また、図１０は、マグネシウムライト３の変形例を示す斜視図である。
【００３４】
上述の実施形態１では、マグネシウムライト１は、パーツＡとパーツＢとをそれぞれの雄ねじ部３０ａと雌ねじ部３０ｂとを螺合（係合）させることでケース３０を構成していた。本実施形態３では、マグネシウムライト３は、パーツＡとパーツＢとを備え、パーツＡの嵌合凸部３０ｍをパーツＢの嵌合凹部３０ｎに嵌合（係合）させることで、ケース３０を構成している。
【００３５】
図９、図１０に示すマグネシウムライト３のうち、図９に示すマグネシウムライト３は、パーツＡとパーツＢとが縦方向（図９の上下方向）の合わせ面で分割されていて、その合わせ面に沿って、パーツＡの嵌合凸部３０ｍとパーツＢの嵌合凹部３０ｎとが形成されている。そして、これら嵌合凸部３０ｍと嵌合凹部３０ｎとを嵌め合わせることにより、ケース３０を構成し、このケース３０の内側にマグネシウム金属空気電池１０及びＬＥＤライト２０を内包している。嵌合凸部３０ｍと嵌合凹部３０ｎとの嵌め合わせは、一旦、嵌め合わせた後は外れない、いわゆる嵌め殺しとしてもよく、また、比較的容易に外れるようにして、マグネシウム金属空気電池１０及びＬＥＤライト２０を交換可能にしてもよい。
【００３６】
図９、図１０に示すマグネシウムライト３のうち、図１０に示すマグネシウムライト３は、パーツＡとパーツＢとが横方向（図１０の左右方向）の合わせ面で分割されていて、その合わせ面に沿って、パーツＡの嵌合凸部３０ｍとパーツＢの嵌合凹部３０ｎとが形成されている。そして、これら嵌合凸部３０ｍと嵌合凹部３０ｎとを嵌め合わせることにより、ケース３０を構成し、このケース３０の内側にマグネシウム金属空気電池１０及びＬＥＤライト２０を内包している。嵌合凸部３０ｍと嵌合凹部３０ｎとの嵌め合わせは、一旦、嵌め合わせた後は外れない、いわゆる嵌め殺しとしてもよく、また、比較的容易に外れるようにして、マグネシウム金属空気電池１０及びＬＥＤライト２０を交換可能にしてもよい。
【００３７】
図９、図１０に示すマグネシウムライト３は、図１、図２等に示すマグネシウムライト１や図７、図８に示すマグネシウムライト２と比較して、簡単な構成でパーツＡとパーツＢとを嵌合（係合）することができるので、ケース３０の製造コストを抑えることができる、というメリットがある。
＜実施形態４＞
図１１を参照して、本考案を適用した実施形態３のマグネシウムライト４について説明する。
ここで、図１１は、実施形態４のマグネシウムライト４を示す図である。
マグネシウムライト４は、パーツＡの雄ねじ部３０ａをパーツＢの雌ねじ部３０ｂに螺合することにより、ケース３０を構成している。
【００３８】
さらに、他方のパーツＡの先端部（上端部）には、取付けねじ孔３０ｉが形成され、一方のパーツＢの先端部（下端部）には、取付けねじ部３０ｊが形成されている。
本実施形態では、取付けねじ孔３０ｉを、例えばドライバーで回して、取付けねじ部３０ｊを相手部材に螺合させることにより、全体が完成する。
【００３９】
本実施形態では、相手部材としての炎を模した台座７０を半透明のオレンジ色に構成し、マグネシウムライト４を点灯することにより、外部からは、炎が付けられているように見える。
＜実施形態５＞
図１２（ａ），（ｂ），（ｃ）は、マグネシウムライト１〜３を光るボタンとして利用した例を示す図である。
【００４０】
マグネシウムライト１〜３は、相手部材としてのボタン８０に取り付けるための取付け紐６１（取付け部材）を保持する取付け部３０ｃを有している。取付け部３０ｃは、例えば、図１に示すような取付け孔３０ｄ（図１２では不図示）が形成されている。
【００４１】
このように、マグネシウムライト１〜３は、取付け紐６１を介してボタン８０に連結されており、衣服８１の内側に存在している。衣服８１としての夜間作業服、レインコートの袖、救命胴衣等に「光るボタン」として取り付けることができ、暗闇での交通安全や所在の確認等を図ることができる。
図１３は、マグネシウムライト１〜３を光るイヤリングとして利用した例を示す図である。
【００４２】
マグネシウムライト１〜３は、相手部材として耳８３に取り付けるためのリング８２（取付け部材）を保持する取付け部３０ｃを有している。例えば、リング８２の両端には、ストッパ８２ｃが配置されている。このストッパ８２ｃにより、耳８３の耳たぶ８３ａを挟み込むことにより、マグネシウムライト１〜３をイヤリングとして、耳８３に取り付けることができる。そして、マグネシウムライト１〜３を点灯させることにより、光るイヤリングとすることができる。
図１４は、マグネシウムライト１〜３を光るコーン８４として利用した例を示す図である。
【００４３】
マグネシウムライト１〜３は、取付け部３０ｃとして、コーン８４（相手部材）に吸着するための吸盤３０ｋを有している。この吸盤３０ｋを、例えばコーン８４の先端に吸着させる。これにより、工事現場において、コーン８４を簡単に光らせることができる。
【００４４】
図１５（ａ）は、マグネシウムライト１〜３をスキー板８５に取り付けた例を示す図、（ｂ）はマグネシウムライト１〜３をスノーボード板８６に取り付けた例を示す図である。
【００４５】
マグネシウムライト１〜３の構造は、図１４に示すものと同様、取付け部３０ｃとして、相手部材に吸着するための吸盤３０ｋを有している。相手部材としては、図１５（ａ）では、スキー板８５が、また、図１５（ｂ）では、スノーボード板８６が挙げられている。これら、スキー板８５やスノーボード板８６の上面に、吸盤３０ｋを介して、マグネシウムライト１〜３を取り付けることにより、夜間でも、スキー板８５やスノーボード板８６の使用者の存在を周知することができる。
図１６は、マグネシウムライト１〜３をヘルメット８７に取り付けた例を示す図である。
【００４６】
マグネシウムライト１〜３の構造は、図１４に示すものと同様、取付け部３０ｃとして、相手部材に吸着するための吸盤３０ｋを有している。相手部材としては、例えば、ヘルメット８７の頂部に、吸盤３０ｋを介して、マグネシウムライト１〜３を取り付けることにより、夜間でも、ヘルメット８７の使用者の存在を周知することができる。
図１７（ａ）は、複数（例えば、６個）のマグネシウムライト１〜３を腕や足８８に巻き付ける例を示す斜視図であり、（ｂ）は同じく上方から見た図である。
【００４７】
複数のマグネシウムライト１〜３は、６個のマグネシウムライト１〜３を取付け紐（不図示）でリング状に束ねている。例えば、マグネシウムライト１〜３をファッションとして楽しむことができる。
【００４８】
上述のマグネシウムライト１〜３を、疑似餌（不図示）に装着することができる。この場合には、周囲がうす暗い中でも、疑似餌をはっきりと認識することができる。
【符号の説明】
【００４９】
１      実施形態１のマグネシウムライト
２      実施形態２のマグネシウムライト
３      実施形態３のマグネシウムライト
４      実施形態４のマグネシウムライト
１０    マグネシウム金属空気電池
２０    ＬＥＤライト
３０    ケース
３０ａ  雄ねじ部
３０ｂ  雌ねじ部
３０ｃ  取付け部
３０ｆ  フック部
３０ｈ  フック孔
３０ｉ  取付けねじ孔
３０ｊ  取付けねじ部
３０ｋ  吸盤（取付け部）
３０ｍ  嵌合凸部
３０ｎ  嵌合凹部
４０    台座（相手部材）
５０    取付け台（相手部材）
６０    腕バンド（相手部材）
６１    取付け紐（取付け部材）
７０    台座（相手部材）
８０    ボタン（相手部材）
８２    リング（取付け部材）
８３    耳（相手部材）
８４    コーン（相手部材）
８５    スキー板（相手部材）
８６    スノーボード板（相手部材）
８７    ヘルメット（相手部材）
Ａ，Ｂ  パーツ
ａ      透孔
【図１】
0003219218.tif 000003
【図２】
0003219218.tif 000004
【図３】
0003219218.tif 000005
【図４】
0003219218.tif 000006
【図５】
0003219218.tif 000007
【図６】
0003219218.tif 000008
【図７】
0003219218.tif 000009
【図８】
0003219218.tif 000010
【図９】
0003219218.tif 000011
【図１０】
0003219218.tif 000012
【図１１】
0003219218.tif 000013
【図１２】
0003219218.tif 000014
【図１３】
0003219218.tif 000015
【図１４】
0003219218.tif 000016
【図１５】
0003219218.tif 000017
【図１６】
0003219218.tif 000018
【図１７】
0003219218.tif 000019